(57)【要約】【課題】  着用者のバストを圧迫せずに着用感を保ちながら、着用者の動作時の身体の動きに追随でき、且つバストの重みや着用者の動作によってバストが脇側に流れることを抑制することを同時に達成できる脇流れ防止ブラジャーの提供。【解決手段】  カップ部、カップ支持部、バック布、および肩紐を備えるブラジャーであって、右カップ支持部は、右バック布から右カップ部と左カップ部をへて左バック布に亘る長大な正面視略直角三角形状であり、左カップ支持部は、左バック布から左カップ部と右カップ部をへて右バック布に亘る長大な正面視略直角三角形状であり、右カップ支持部および左カップ支持部の斜辺はバストトップ位置を覆わないように配置されており、右カップ支持部および左カップ支持部は、互いに縫合されておらず、それぞれ独立した状態で遊離していることを特徴とする、脇流れ防止ブラジャー。【選択図】  図１
2020084363.tif 000002
【特許請求の範囲】
【請求項１】
右カップ部、左カップ部、前記右カップ部を支持する右カップ支持部、前記左カップ部を支持する左カップ支持部、右バック布、左バック布、右肩紐、および左肩紐を備える脇流れ防止ブラジャーであって、
前記右カップ支持部は、前記右バック布から前記右カップ部と前記左カップ部をへて前記左バック布に亘る長大な正面視略直角三角形状であり、
前記左カップ支持部は、前記左バック布から前記左カップ部と前記右カップ部をへて前記右バック布に亘る長大な正面視略直角三角形状であり、
前記右カップ支持部および前記左カップ支持部の斜辺は、それぞれバストトップ位置を覆わないように配置されており、
前記右カップ支持部の上端部は前記右肩紐に連結され、右端部は前記右バック布の端部に縫合され、左端部は前記左バック布の端部に縫合されており、
前記左カップ支持部の上端部は前記左肩紐に連結され、右端部は前記右バック布の端部に縫合され、左端部は前記左バック布の端部に縫合されており、
前記右カップ支持部および前記左カップ支持部は、互いに縫合されておらず、それぞれ独立した状態で遊離していることを特徴とする、脇流れ防止ブラジャー。
【請求項２】
前記右カップ支持部の前記斜辺および前記左カップ支持部の前記斜辺は、それぞれ前記右カップ部の下縁部および前記左カップ部の下縁部の形状に沿って湾曲していることを特徴とする、請求項１に記載の脇流れ防止ブラジャー。
【請求項３】
前記カップ支持部は前記カップ部の下縁部の最下点と前記カップ部の前中心側端部との距離の、前記最下点を起点とした１／２〜９／１０の範囲に配置されていることを特徴とする、請求項１または請求項２に記載の脇流れ防止ブラジャー。
【請求項４】
前記右カップ支持部と前記左カップ支持部がＸ字状に交差しており、前中心に隙間が設けられていることを特徴とする、請求項１乃至請求項３のいずれか１項に記載の脇流れ防止ブラジャー。
【請求項５】
前記右カップ支持部および前記左カップ支持部が、伸縮性の素材からなることを特徴とする、請求項１乃至請求項４のいずれか１項に記載の脇流れ防止ブラジャー。
【発明の詳細な説明】
【技術分野】
【０００１】
本発明は、脇流れ防止ブラジャーに関する。より詳しくは、着用者のバストを圧迫せずに着用感を保ちながら、着用者の動作時の身体の動きに追随でき、且つバストの重みでバストが脇側に流れることを抑制する脇流れ防止ブラジャーに関するものである。
【背景技術】
【０００２】
従来から、ブラジャーは、着用者のバストの形をきれいに整えることを主な目的の一つとしている。
しかしながら、洗濯物を干したり取り入れたりするときなど、着用者が、腕を上下や前後方向に動かす、身体を捩じる、あるいは胸部を捩じる等といった上半身の運動の際に、着用者のバストの動きにブラジャーのカップ部が追随できず、カップ部とバストの位置がずれ、その結果バストの形状が崩れたり、着用者に着心地の悪さや違和感が生じる等、ブラジャーの着用性が悪くなるという問題点があった。
【０００３】
上記問題点を解決するために、特許文献１には、運動時であっても、カップ部が乳房の動きに追従するとともに、運動により生じ得るカップ部と乳房の位置のずれを防ぎ、乳房を身体前中央に寄せる機能に加えて、常に乳房の形を良好に保持するサポート機能をより高めたブラジャーが開示されている。
特許文献１に開示されているブラジャーは、左右一対のカップ部、該カップ部の下部に位置する２枚のカップ台、左右２枚の脇布、左右２枚のほぼ扇形のカップ部当て布、および該カップ部の上縁部と接合される左右一対の肩紐から構成されている。そして、前記２枚のカップ台が、右カップ部の下縁部と左右２枚の脇布に縫合されてなる右カップ台および、左カップ部の下縁部と左右２枚の脇布に縫合されてなる左カップ台であり、該右カップ台と該左カップ台は相互に縫合されておらず、前記カップ部当て布は、カップ部中央より脇側を被覆するように配置され、前記カップ部当て布は前記肩紐と前記カップ部との接合部に上端部が且つ前記カップ部と前記カップ台と前記脇布との接合部近傍に円弧状の下縁部がそれぞれ縫合されている。
【先行技術文献】
【特許文献】
【０００４】
【特許文献１】特許第５１８０３９０号公報
【発明の概要】
【発明が解決しようとする課題】
【０００５】
特許文献１のブラジャーは、着用者の動作時のバストの動きに追従し、バストの揺れを抑制することは可能となる。
しかしながら、カップ部当て布の下縁部がカップ部とカップ台、および脇布に縫合されているため、脇側に流れるバストを押さえつけて圧迫してしまい、バストの形を整えることができず、着心地が悪くなるという欠点があった。
加えて、カップ部当て布がカップ部およびカップ台とは別部材で形成されているため、カップ部当て布が着用者の動作に十分に追随することができない。そのため、バストの重みや運動によって生じる、バストが脇側に流れる動きにブラジャーが追随することができず、バストが脇側に流れてしまうこと（つまり、バストの脇流れ）を抑制することができないという問題点があった。
【０００６】
叙上のとおり、特許文献１を含む従来のブラジャーには、着用者のバストを圧迫せずに着用感を保ちながら、着用者の動作に追随でき、且つバストの重みや着用者の動作によってバストが脇側に流れることを抑制することを同時に達成できるものはなかった。
【０００７】
本発明は、上記したような従来技術の問題点を解決すべくなされたものであって、着用者のバストを圧迫せずに着用感を保ちながら、着用者の動作時の身体の動きに追随でき、且つバストの重みや着用者の動作によってバストが脇側に流れることを抑制することを同時に達成できる脇流れ防止ブラジャーとするものである。
【課題を解決するための手段】
【０００８】
請求項１に係る発明は、右カップ部、左カップ部、前記右カップ部を支持する右カップ支持部、前記左カップ部を支持する左カップ支持部、右バック布、左バック布、右肩紐、および左肩紐を備える脇流れ防止ブラジャーであって、前記右カップ支持部は、前記右バック布から前記右カップ部と前記左カップ部をへて前記左バック布に亘る長大な正面視略直角三角形状であり、前記左カップ支持部は、前記左バック布から前記左カップ部と前記右カップ部をへて前記右バック布に亘る長大な正面視略直角三角形状であり、前記右カップ支持部および前記左カップ支持部の斜辺は、それぞれバストトップ位置を覆わないように配置されており、前記右カップ支持部の上端部は前記右肩紐に連結され、右端部は前記右バック布の端部に縫合され、左端部は前記左バック布の端部に縫合されており、前記左カップ支持部の上端部は前記左肩紐に連結され、右端部は前記右バック布の端部に縫合され、左端部は前記左バック布の端部に縫合されており、前記右カップ支持部および前記左カップ支持部は、互いに縫合されておらず、それぞれ独立した状態で遊離していることを特徴とする、脇流れ防止ブラジャーに関する。
【０００９】
請求項２に係る発明は、前記右カップ支持部の前記斜辺および前記左カップ支持部の前記斜辺は、それぞれ前記右カップ部の下縁部および前記左カップ部の下縁部の形状に沿って湾曲していることを特徴とする、脇流れ防止ブラジャーに関する。
【００１０】
請求項３に係る発明は、前記カップ支持部は前記カップ部の下縁部の最下点と前記カップ部の前中心側端部との距離の、前記最下点を起点とした１／２〜９／１０の範囲に配置されていることを特徴とする、脇流れ防止ブラジャーに関する。
【００１１】
請求項４に係る発明は、前記右カップ支持部と前記左カップ支持部がＸ字状に交差しており、前中心に隙間が設けられていることを特徴とする、脇流れ防止ブラジャーに関する。
【００１２】
請求項５に係る発明は、前記右カップ支持部および前記左カップ支持部が、伸縮性の素材からなることを特徴とする、脇流れ防止ブラジャーに関する。
【発明の効果】
【００１３】
請求項１に係る発明によれば、右カップ支持部は、右バック布から右カップ部と左カップ部をへて左バック布に亘る長大な正面視略直角三角形状であり、左カップ支持部は、左バック布から左カップ部と右カップ部をへて右バック布に亘る長大な正面視略直角三角形状であり、右カップ支持部および左カップ支持部の斜辺は、それぞれバストトップ位置を覆わないように配置されており、右カップ支持部の上端部は右肩紐に連結され、右端部は右バック布の端部に縫合され、左端部は左バック布の端部に縫合されており、左カップ支持部の上端部は左肩紐に連結され、右端部は右バック布の端部に縫合され、左端部は左バック布の端部に縫合されており、右カップ支持部および左カップ支持部は、互いに縫合されておらず、それぞれ独立した状態で遊離していることを構成要件としていることから、以下のような効果を奏する。
【００１４】
本発明は、カップ部を上から押さえつける構成ではなく、右カップ支持部および左カップ支持部がカップ部の頂部（バストトップ位置）に向けてカップ部を押し上げるように引っ張ることで、バストを包みこむようにカップ部を支えることができ、カップ部からのバストのはみ出しやズレを抑制し、上下方向の揺れを抑制することができるという優れた効果を奏する。
また、右カップ支持部は、右バック布から右カップ部と左カップ部をへて左バック布に亘る長大な正面視略直角三角形状であり、左カップ支持部は、左バック布から左カップ部と右カップ部をへて右バック布に亘る長大な正面視略直角三角形状であることから、一枚の部材でカップ部を支持でき、且つバストの脇流れを防ぐことができるという優れた効果も奏する。
【００１５】
本発明は、右カップ支持部および左カップ支持部の上端部が左右の肩紐に連結されているので、肩紐の引っ張り力によってカップ部の脇側が一層しっかりと引き上げられる。このため、着用者のバストを脇側から前中心側に集める効果が更に高められ、バストの脇流れを一層効果的に抑制できる。
また、肩紐から右カップ支持部および左カップ支持部を介してカップ部に伝達する引っ張り力を安定させることができ、着心地をより良くすることができるという優れた効果を奏する。
【００１６】
本発明は、右カップ支持部および左カップ支持部が互いに縫合されておらず、それぞれ独立した状態で遊離しているため、左右のカップ部とカップ支持部がそれぞれ独立して動くことができる。それゆえに、着用者の動作によって生じるカップ部とカップ支持部のずれが小さくなり、バストの位置変化や変形を防ぎ、バストの形を良好に保持するサポート機能をより高めつつも、遊離した部分によって通気性を保持して着用感をより高めることができるという優れた効果を奏する。
【００１７】
請求項２に係る発明によれば、右カップ支持部の斜辺および左カップ支持部の斜辺は、それぞれ右カップ部の下縁部および左カップ部の下縁部の形状に沿って湾曲していることを構成要件としていることから、バストを自然に引っ張り上げることができ、カップ部の下縁部がバストのバージスラインにフィットし、ブラジャーの着用感をより高めることができるという優れた効果を奏する。
【００１８】
請求項３に係る発明によれば、カップ支持部はカップ部の下縁部の最下点とカップ部の前中心側端部との距離の、最下点を起点とした１／２〜９／１０の範囲に配置されていることを構成要件としていることから、バストを圧迫せずに脇流れをより防止できるという優れた効果を奏する。
【００１９】
請求項４に係る発明によれば、右カップ支持部と左カップ支持部がＸ字状に交差しており、前中心に隙間が設けられていることを構成要件としていることから、ブラジャーの前中心に空間が形成され、この空間の存在によりブラジャーの通気性をより高めることができるとともに、カップ部の追随性もより高めることができるという優れた効果を奏する。
【００２０】
請求項５に係る発明によれば、右カップ支持部および左カップ支持部が、伸縮性の素材からなることを構成要件としていることから、カップ支持部の追随性をより高めることができるという優れた効果を奏する。
【図面の簡単な説明】
【００２１】
【図１】（ａ）は本発明に係るブラジャーの正面図であり、（ｂ）は図１のＣ−Ｃ線断面図である。
【図２】本発明に係るブラジャーの背面図である。
【図３】本発明に係るブラジャーを着用した状態の正面斜視図である。
【図４】本発明に係るブラジャーのカップ支持部を示す図である。（ａ）は右カップ支持部であり、（ｂ）は左カップ支持部である。
【図５】本発明に係るブラジャーのカップ支持部を形成する部材を展開した図である。（ａ）はカップ支持部の表生地であり、（ｂ）はカップ支持部の裏打ちである。
【図６】本発明に係るブラジャーの右カップ支持部の形成方法に関する説明図である。
【図７】本発明に係るブラジャーの左カップ支持部の形成方法に関する説明図である。
【図８】本発明に係るブラジャーを着用者が装着した際の身体の動きに対する追随性を示す図であり、（ａ）は通常時（静止状態）における装着状態を示す図であり、（ｂ）は右腕を上げた際の追随性を示す図であり、（ｃ）は左腕を上げた際の追随性を示す図である。
【発明を実施するための形態】
【００２２】
以下、本発明に係るブラジャーについて、図面を参照しつつ詳細に説明する。
なお、本明細書において、「身幅方向」とは着用者の左右のバストトップ位置を結ぶ直線の方向を示し、「着丈方向」とは着用者の体の縦方向（すなわち、着用者の身長方向）を示す。
加えて、「表側」とはブラジャーの表側（すなわち、着用者の肌側とは反体の面側）を意味し、「肌側」とは着用者の肌に面する側を意味する。
【００２３】
図１〜図３に示すように、本発明に係る脇流れ防止ブラジャー（１）（以下、単に「ブラジャー（１）」と称する）は、右カップ部（２Ａ）、左カップ部（２Ｂ）、右カップ部（２Ａ）を支持する右カップ支持部（３Ａ）、左カップ部（２Ｂ）を支持する左カップ支持部（３Ｂ）、右バック布（４Ａ）、左バック布（４Ｂ）、右肩紐（５Ａ）、および左肩紐（５Ｂ）から構成されている。
【００２４】
カップ部（２Ａ，２Ｂ）は、着用者のバストを覆う椀状の左右一対の部材（右カップ部（２Ａ）および左カップ部（２Ｂ））から形成されている。
図１および図２に示すように、右カップ部（２Ａ）の下方に右カップ支持部（３Ａ）が配置されている。
図１に示すように、右カップ部（２Ａ）の下縁部（２Ａ１）はブラジャー（１）の肌側で右カップ支持部（３Ａ）の縫合部（３Ａ２）と縫合されている。右カップ部（２Ａ）と右カップ支持部（３Ａ）の斜辺（３Ａ１）は縫合されていないので、ブラジャー（１）の表側で右カップ部（２Ａ）と右カップ支持部（３Ａ）は互いに遊離している。
図１および図２に示すように、左カップ部（２Ｂ）も右カップ部（２Ａ）と同様に、左カップ部（２Ｂ）の下方に左カップ支持部（３Ｂ）が配置されている。
図１に示すように、左カップ部（２Ｂ）の下縁部（２Ｂ１）はブラジャー（１）の肌側で左カップ支持部（３Ｂ）の縫合部（３Ｂ２）と縫合されている。左カップ部（２Ｂ）と左カップ支持部（３Ｂ）の斜辺（３Ｂ１）は縫合されていないので、ブラジャー（１）の表側で左カップ部（２Ｂ）と左カップ支持部（３Ｂ）は互いに遊離している。
【００２５】
カップ部（２Ａ，２Ｂ）に用いられる素材は特に限定されないが、肌当りや通気性の良いものを使用することが好ましい。
例えば、右カップ部（２Ａ）および左カップ部（２Ｂ）には所定の厚みを有するシート状のウレタン発泡生地をカップ状にモールド成型してもよい。発泡ウレタンモールド以外では、例えば、不織布、ダブルラッセル、ダンボールニット等、バストを保持するための５ｍｍ〜１０ｍｍ程度の適度な厚み、弾力性、伸度を有するものを用いることができる。
また、カップ部（２Ａ，２Ｂ）の形状は特に限定されず、ブラジャーのカップとして通常用いられる形状であれば、いかなる形状であっても良い。
【００２６】
カップ支持部（３Ａ，３Ｂ）は、右カップ部（２Ａ）を支持する右カップ支持部（３Ａ）、左カップ部（２Ｂ）を支持する左カップ支持部（３Ｂ）から構成されている。
更に、図６および図７に示すように、右カップ支持部（３Ａ）は表生地（３Ｃ）と裏打ち（３Ｄ）から構成され、左カップ支持部（３Ｂ）も同様に表生地（３Ｅ）と裏打ち（３Ｆ）から構成されている。そのため、右カップ支持部（３Ａ）は斜辺（３Ａ１）と縫合部（３Ａ２）を有しており、左カップ支持部（３Ｂ）も同様に、斜辺（３Ｂ１）と縫合部（３Ｂ２）を有する。
なお、縫合部（３Ａ２，３Ｂ２）の形状は特に限定されず、カップ部（２Ａ，２Ｂ）と縫合できる形状であればいかなる形状であっても良い。
【００２７】
図１に示すように、右カップ支持部（３Ａ）は、右バック布（４Ａ）から右カップ部（２Ａ）と左カップ部（２Ｂ）をへて左バック布（４Ｂ）に亘る長大な正面視略直角三角形状である。右カップ支持部（３Ａ）の斜辺（３Ａ１）は、右カップ部（２Ａ）のバストトップ位置（２ＡＴ）を覆わないように配置されている。
左カップ支持部（３Ｂ）も同様に、左バック布（４Ｂ）から左カップ部（２Ｂ）と右カップ部（２Ａ）をへて右バック布（４Ａ）に亘る長大な正面視略直角三角形状である。左カップ支持部（３Ｂ）の斜辺（３Ｂ１）は、左カップ部（２Ｂ）のバストトップ位置（２ＢＴ）を覆わないように配置されている。
【００２８】
図１に示すように、右カップ支持部（３Ａ）の上端部（３Ａａ）は右肩紐（５Ａ）に連結され、右端部（３Ａｂ）は右バック布（４Ａ）の端部（４Ａａ）に縫合され、左端部（３Ａｃ）は左バック布（４Ｂ）の端部（４Ｂａ）に縫合されている。右カップ支持部（３Ａ）は、右カップ部（２Ａ）の表側には縫合されていない。
右カップ支持部（３Ａ）が右カップ部（２Ａ）の表側に縫合されていないことによって、バストを圧迫せずに、右肩紐（５Ａ）の引っ張り力によって脇側を一層しっかりと引き上げることができ、バストの脇流れを防止することができる。
【００２９】
図１に示すように、左カップ支持部（３Ｂ）の上端部（３Ｂａ）は左肩紐（５Ｂ）に連結され、右端部（３Ｂｂ）は右バック布（４Ａ）の端部（４Ａａ）に縫合され、左端部（３Ｂｃ）は左バック布（４Ｂ）の端部（４Ｂａ）に縫合されている。左カップ支持部（３Ｂ）は、左カップ部（２Ｂ）の表側には縫合されていない。
左カップ支持部（３Ｂ）が左カップ部（２Ｂ）の表側に縫合されていないことによって、バストを圧迫せずに、左肩紐（５Ｂ）の引っ張り力によって脇側を一層しっかりと引き上げることができ、バストの脇流れを防止することができる。
【００３０】
右カップ支持部（３Ａ）と左カップ支持部（３Ｂ）は互いに縫合されておらず、それぞれ独立した状態で遊離している。したがって、右カップ支持部（３Ａ）と左カップ支持部（３Ｂ）にそれぞれ縫合されている右カップ部（２Ａ）と左カップ部（２Ｂ）は、独立して動くことができ、着用者の運動に対する追随性を有している。
そのため、洗濯物を干したり取り入れたりするときなど、着用者が、腕を上下や前後方向に動かす、身体を捩じる、あるいは胸部を捩じる等といった上半身の運動の際に、本発明に係るブラジャーのカップ部（２Ａ，２Ｂ）は着用者のバストの動きに合わせてスムーズに追随して着用感を向上させることができる。
【００３１】
図１の（ｂ）は、図１の（ａ）のＣ−Ｃ線断面図である。
本発明に係るブラジャー（１）は、上記したカップ部（２Ａ，２Ｂ）およびカップ支持部（３Ａ，３Ｂ）の特徴を備えている。それゆえに、図１の（ｂ）に示すように、例えば、右カップ部（２Ａ）は右カップ支持部（３Ａ）と肌側で縫合されている。外側においては、右カップ支持部（３Ａ）は、右カップ部（２Ａ）の下方からバストトップ位置（２Ａ）よりも下の位置まで右カップ部（２Ａ）を覆っている。左カップ支持部（３Ｂ）は、右カップ支持部（３Ａ）よりも肌側に、隙間を空けて位置している。
【００３２】
また、右カップ支持部（３Ａ）と左カップ支持部（３Ｂ）がＸ字状に交差しており、前中心に隙間（９）が設けられていることで、バストの動きに追随するだけでなく、ブラジャー（１）の通気性を高めることができる。
【００３３】
カップ支持部（３Ａ，３Ｂ）の斜辺（３Ａ１，３Ｂ１）は、カップ部（２Ａ，２Ｂ）のバストトップ位置（２ＡＴ，２ＢＴ）を覆わないように配置されている。
カップ支持部（３Ａ，３Ｂ）はカップ部（２Ａ，２Ｂ）の最下点（Ａ，Ｂ）と、前中心側の端部（Ｚ）との距離の、最下点（Ａ，Ｂ）を起点として１／２〜９／１０の範囲となるようにそれぞれ配置されている。
最下点（Ａ，Ｂ）と前中心側の端部（Ｚ）との距離が１／２未満だと、カップ支持部（３Ａ，３Ｂ）が着用者の動作時の身体の動きに十分に追随することができなくなってしまう。また、９／１０を超えると、カップ支持部（３Ａ，３Ｂ）がカップ部（２Ａ，２Ｂ）を押さえつけてしまうため、バストを圧迫しすぎてしまう。
そのため、本実施形態においては、最下点（Ａ，Ｂ）と前中心側の端部（Ｚ）との距離を１／２〜９／１０の範囲とすることにより、本発明の効果をより発揮することができる。
【００３４】
カップ支持部（３Ａ，３Ｂ）に用いられる素材は特に限定されないが、伸縮性素材を用いることが望ましい。
また、肌当りや通気性の良い素材を使用すれば、着心地をさらに高めることができる。
【００３５】
右バック布（４Ａ）および左バック布（４Ｂ）は、着用者の脇側を覆う略台形状の左右一対の部材から形成されている。
図１および図２に示すように、右バック布（４Ａ）の端部（４Ａａ）に右カップ支持部（３Ａ）の右端部（３Ａｂ）と左カップ支持部（３Ｂ）の右端部（３Ｂｂ）が一体的に縫合されている。
右バック布（４Ａ）と同様に、左バック布（４Ｂ）の端部（４Ｂａ）に左カップ支持部（３Ｂ）の左端部（３Ｂｃ）と右カップ支持部（３Ａ）の左端部（３Ａｃ）が一体的に縫合されている。
【００３６】
右バック布（４Ａ）および左バック布（４Ｂ）に用いられる素材は特に限定されないが、通気性のよい素材や伸縮性が高い素材を使用することが好ましい。
【００３７】
右バック布（４Ａ）および左バック布（４Ｂ）と右カップ支持部（３Ａ）および左カップ支持部（３Ｂ）の連結部分にはボーン（６）を設けてもよい。
右バック布（４Ａ）および左バック布（４Ｂ）と右カップ支持部（３Ａ）および左カップ支持部（３Ｂ）の間にボーン（６）を設けることによって、バストが横に広がり脇側へ流れることをさらに抑制することができ、且つ着用者の脇側をスッキリさせることができ、バストシルエットを良好に保つことができる。
ボーン（６）に用いられる素材は特に限定されないが、プラスチック樹脂やコイル状の金属製のものを使用するのが好ましい。
【００３８】
右バック布（４Ａ）および左バック布（４Ｂ）の一端（端部（４Ａａ，４Ｂａ））には、右カップ支持部（３Ａ）および左カップ支持部（３Ｂ）が縫合されており、他端には連結係止部（７）が設けられている。
図１に示すように、本発明に係るブラジャー（１）では、連結係止部（７）を使用しているが、他の種類の係止具を使用してもよい。例えば、面ファスナー、グリッパー、ボタンなどを適宜選択して使用することができる。また、連結係止部（７）を設けないブラジャーであっても、本発明に係るブラジャー（１）の効果を発揮することができる。
【００３９】
右肩紐（５Ａ）の始端（５Ａ１）は右カップ支持部（３Ａ）の上端部（３Ａａ）に連結し、終端（５Ａ２）は右バック布（４Ａ）の上辺（４Ａ１）に縫合されている。左肩紐（５Ｂ）の始端（５Ｂ１）は左カップ支持部（３Ｂ）の上端部（３Ｂａ）に連結し、終端（５Ｂ２）は左バック布（４Ｂ）の上辺（４Ｂ１）に縫合されている。
肩紐（５Ａ，５Ｂ）がカップ支持部（３Ａ，３Ｂ）に連結されているため、着用時に肩紐（５Ａ，５Ｂ）の引っ張り力によって、カップ支持部（３Ａ，３Ｂ）が上方に引き上げられる。そして、この肩紐（５Ａ，５Ｂ）の引き上げ力により、カップ部（２Ａ，２Ｂ）をバストの位置に適切に配置させることができ、ブラジャーの運動追随性およびバストの脇流れの抑制力を高めることができる。
肩紐（５Ａ，５Ｂ）はカップ支持部（３Ａ，３Ｂ）と一体的に形成されていても良く、別体として縫合等により連結されていても良い。
なお、肩紐（５Ａ，５Ｂ）がカップ支持部（３Ａ，３Ｂ）と一体的に形成されている方が、着用時の肩紐（５Ａ，５Ｂ）の引っ張り力を高めることができ、運動追随性およびバストの脇流れの抑制力をより高めることができるためより好ましい。
【００４０】
肩紐（５Ａ，５Ｂ）に用いられる素材は特に限定されないが、伸縮性素材を用いることが望ましい。
【００４１】
以下、右カップ支持部（３Ａ）の形成方法について図５および図６に基づいて説明する。
図５の（ａ）および（ｂ）に示すように、右カップ支持部（３Ａ）は、表生地（３Ｃ）と裏打ち（３Ｄ）から形成されている。
図６の（ａ）に示すように、表生地（３Ｃ）の下辺（３Ｃ３）と裏打ち（３Ｄ）の下辺（３Ｄ３）を重なるように配置させて、仮縫いをする。
図６の（ｂ）に示すように、表生地（３Ｃ）の下辺（３Ｃ３）にゴム（８）を取り付けて縫合する。
図６の（ｃ）〜（ｄ）に示すように、裏打ち（３Ｄ）を展開させて、ゴム（８）を挟み込むようにして折り返す。折り返した後、表生地（３Ｃ）の第２上辺（３Ｃ２）と裏打ち（３Ｄ）の第２上辺（３Ｄ２）同士を縫合する。
図６の（ｅ）に示すように、ひっくり返し、右カップ支持部（３Ａ）として使用する。
また、表生地（３Ｃ）の第１上辺（３Ｃ１）と裏打ち（３Ｄ）の第１上辺（３Ｄ１）同士は縫合されず、右カップ支持部（３Ａ）をブラジャー（１）に取り付ける際に、裏打ち（３Ｄ）の第１上辺（３Ｄ１）が右カップ部（２Ａ）の下縁部（２Ａ１）と縫合される。
表生地（３Ｃ）の第１上辺（３Ｃ１）が右カップ部（２Ａ）の下縁部（２Ａ１）と縫合されていないので、バストを圧迫せずに、右肩紐（５Ａ）の引っ張り力によって脇側を一層しっかりと引き上げることができる。
なお、図１および図２で示している右カップ支持部（３Ａ）の斜辺（３Ａ１）は、表生地（３Ｃ）の第１上辺（３Ｃ１）および第２上辺（３Ｃ２）から構成されており、右カップ支持部（３Ａ）の縫合部（３Ａ２）は、裏打ち（３Ｄ）の第２上辺（３Ｄ２）のことである。
また、図６の（ｄ）に示すように、右カップ支持部（３Ａ）による右カップ部（２Ａ）の支持をより強固にするため、表生地（３Ｃ）の第２上辺（３Ｃ２）と裏打ち（３Ｄ）の第２上辺（３Ｄ２）とともに、ゴム（８）を一緒に縫合しても良い。
なお、ゴム（８）には、ゴム以外の弾性部材を用いることもできる。
【００４２】
以下、左カップ支持部（３Ｂ）の形成方法について図５および図７に基づいて説明する。
図５の（ａ）および（ｂ）に示すように、左カップ支持部（３Ｂ）は、表生地（３Ｅ）と裏打ち（３Ｆ）から形成されている。
図７の（ａ）に示すように、表生地（３Ｅ）の下辺（３Ｅ３）と裏打ち（３Ｆ）の下辺（３Ｆ３）を重なるように配置させて、仮縫いをする。
図７の（ｂ）に示すように、表生地（３Ｅ）の下辺（３Ｅ３）にゴム（８）を取り付けて縫合する。
図７の（ｃ）〜（ｄ）に示すように、裏打ち（３Ｆ）を展開させて、ゴム（８）を挟み込むようにして折り返す。折り返した後、表生地（３Ｅ）の第２上辺（３Ｅ２）と裏打ち（３Ｆ）の第２上辺（３Ｆ２）同士を縫合する。
図７の（ｅ）に示すように、ひっくり返し、左カップ支持部（３Ｂ）として使用する。
また、表生地（３Ｅ）の第１上辺（３Ｅ１）と裏打ち（３Ｆ）の第１上辺（３Ｆ１）同士は縫合されず、左カップ支持部（３Ｂ）をブラジャー（１）に取り付ける際も裏打ち（３Ｆ）の第１上辺（３Ｆ１）が左カップ部（２Ｂ）の下縁部（２Ｂ１）と縫合される。
表生地（３Ｅ）の第１上辺（３Ｅ１）が左カップ部（２Ｂ）の下縁部（２Ｂ１）と縫合されていないので、バストを圧迫せずに、左肩紐（５Ｂ）の引っ張り力によって脇側を一層しっかりと引き上げることができる。
なお、図１および図２で示している左カップ支持部（３Ｂ）の斜辺（３Ｂ１）は、表生地（３Ｅ）の第１上辺（３Ｅ１）および第２上辺（３Ｅ２）から構成されており、左カップ支持部（３Ｂ）の縫合部（３Ｂ２）は、裏打ち（３Ｆ）の第２上辺（３Ｆ２）のことである。
また、図６の（ｄ）に示すように、左カップ支持部（３Ｂ）による左カップ部（２Ｂ）の支持をより強固にするため、表生地（３Ｅ）の第２上辺（３Ｅ２）と裏打ち（３Ｆ）の第２上辺（３Ｆ２）とともに、ゴム（８）を一緒に縫合しても良い。
なお、ゴム（８）には、ゴム以外の弾性部材を用いることもできる。
【００４３】
図８を参照して、本発明に係るブラジャー（１）の右カップ支持部（３Ａ）および左カップ支持部（３Ｂ）による運動追随性を具体的に説明する。
ブラジャー装着時に右腕を上げると、図８の（ｂ）において矢印で示すように、前中心から脇方向に引き上げる力が働いて、ブラジャー（１）が矢印方向に引っ張られる。上記した通り、本発明に係るブラジャー（１）は、右カップ部（２Ａ）がブラジャー（１）の表側で右カップ支持部（３Ａ）と縫合されておらず、カップ支持部（３Ａ，３Ｂ）同士は互いに縫合されておらず遊離している。そのため、左カップ部（２Ｂ）と左カップ支持部（３Ｂ）が右カップ部（２Ａ）と右カップ支持部（３Ａ）の矢印方向への動きにつられて引っ張り上げられることはない。それゆえに、着用者が右腕を上げる動作により、バストの位置がずれることはなく、着用者の動きに追随することができる。
同様に、図８の（ｃ）に示すように、ブラジャー装着時に左腕を上げても、右カップ部（２Ａ）と右カップ支持部（３Ａ）が左カップ部（２Ｂ）と左カップ支持部（３Ｂ）の動きにつられて引っ張り上げられることはない。それゆえに、着用者が左腕を上げる動作により、バストの位置がずれることはなく、着用者の動きに追随することができる。
右カップ部（２Ａ）は右カップ支持部（３Ａ）の存在により、左カップ部（２Ｂ）は左カップ支持部（３Ｂ）の存在により、それぞれ運動追随性を有している。従って、着用者が腕を上下や前後に動かしたり身体を捩じらせた際や、洗濯物を干したり取り入れたりするなど、特に胸部を捩じらせる上半身の運動を要する動作をする際にも、カップ部（２Ａ，２Ｂ）が人体の動きにもスムーズに対応できるので、カップ部（２Ａ，２Ｂ）とバストの位置がずれることはない。
【００４４】
また、本発明に係るブラジャー（１）は、右カップ支持部（３Ａ）が、右バック布（４Ａ）から右カップ部（２Ａ）と左カップ部（２Ｂ）をへて左バック布（４Ｂ）に亘る長大な正面視略直角三角形状であり、左カップ支持部（３Ｂ）は、左バック布（４Ｂ）から左カップ部（２Ｂ）と右カップ部（２Ａ）をへて右バック布（４Ａ）に亘る長大な正面視略直角三角形状であるため、図８の（ｂ）および（ｃ）に示すような着用者の上半身の動作においても、一枚の部材で着用者の運動に追随してカップ部（２Ａ，２Ｂ）を支持でき、且つバストの脇流れを防ぐことができる。また、一枚の部材でこれらの効果を奏することができるため、縫合箇所を少なくすることができ、着心地を向上させることができる。
【産業上の利用可能性】
【００４５】
本発明は一般のブラジャーとして用いることができ、本発明によれば、着用者のバストを圧迫せずに着用感を保ちながら、着用者の動作時の身体の動きに追随でき、且つバストの重みや着用者の動作によってバストが脇側に流れることを抑制することを同時に達成できる脇流れ防止ブラジャーとすることができる。
【符号の説明】
【００４６】
１      ブラジャー
２Ａ    右カップ部
２Ａ１  右カップ部の下縁部
２ＡＴ  右カップ部のバストトップ位置
２Ｂ    左カップ部
２Ｂ１  左カップ部の下縁部
２ＢＴ  左カップ部のバストトップ位置
３Ａ    右カップ支持部
３Ａ１  右カップ支持部の斜辺
３Ａａ  右カップ支持部の上端部
３Ａｂ  右カップ支持部の右端部
３Ａｃ  右カップ支持部の左端部
３Ｂ    左カップ支持部
３Ｂ１  左カップ支持部の斜辺
３Ｂａ  左カップ支持部の上端部
３Ｂｂ  左カップ支持部の右端部
３Ｂｃ  左カップ支持部の左端部
４Ａ    右バック布
４Ａａ  右バック布の端部
４Ｂ    左バック布
４Ｂａ  左バック布の端部
５Ａ    右肩紐
５Ｂ    左肩紐
Ａ      右カップ部の下縁部の最下点
Ｂ      左カップ部の下縁部の最下点
Ｚ      前中心側の端部
【図１】
2020084363.tif 000003
【図２】
2020084363.tif 000004
【図３】
2020084363.tif 000005
【図４】
2020084363.tif 000006
【図５】
2020084363.tif 000007
【図６】
2020084363.tif 000008
【図７】
2020084363.tif 000009
【図８】
2020084363.tif 000010
【手続補正書】
【提出日】平成31年3月14日(2019.3.14)
【手続補正１】
【補正対象書類名】特許請求の範囲
【補正対象項目名】全文
【補正方法】変更
【補正の内容】
【特許請求の範囲】
【請求項１】
右カップ部、左カップ部、前記右カップ部を支持する右カップ支持部、前記左カップ部を支持する左カップ支持部、右バック布、左バック布、右肩紐、および左肩紐を備える脇流れ防止ブラジャーであって、
前記右カップ支持部は、前記右バック布から前記右カップ部と前記左カップ部をへて前記左バック布に亘る長大な正面視略直角三角形状であり、
前記左カップ支持部は、前記左バック布から前記左カップ部と前記右カップ部をへて前記右バック布に亘る長大な正面視略直角三角形状であり、
前記右カップ支持部および前記左カップ支持部の斜辺は、それぞれバストトップ位置を覆わないように配置されており、
前記右カップ支持部の上端部は前記右肩紐に連結され、右端部は前記右バック布の端部に縫合され、左端部は前記左バック布の端部に縫合されており、
前記左カップ支持部の上端部は前記左肩紐に連結され、右端部は前記右バック布の端部に縫合され、左端部は前記左バック布の端部に縫合されており、
前記右カップ支持部および前記左カップ支持部は、前記右バック布の端部および前記左バック布の端部に縫合されている部分以外の部分では互いに縫合されておらず、それぞれ独立した状態で遊離していることを特徴とする、脇流れ防止ブラジャー。
【請求項２】
前記右カップ支持部の前記斜辺および前記左カップ支持部の前記斜辺は、それぞれ前記右カップ部の下縁部および前記左カップ部の下縁部の形状に沿って湾曲していることを特徴とする、請求項１に記載の脇流れ防止ブラジャー。
【請求項３】
前記カップ支持部は前記カップ部の下縁部の最下点と前記カップ部の前中心側端部との間に位置する前記カップ部の下縁部の１／２〜９／１０の領域に亘って配置されていることを特徴とする、請求項１または請求項２に記載の脇流れ防止ブラジャー。
【請求項４】
前記カップ部の前中心側の端部の下方に隙間ができるように、前記右カップ支持部の上縁部と前記左カップ支持部の上縁部がＸ字状に交差していることを特徴とする、請求項１乃至請求項３のいずれか１項に記載の脇流れ防止ブラジャー。
【請求項５】
前記右カップ支持部および前記左カップ支持部が、伸縮性の素材からなることを特徴とする、請求項１乃至請求項４のいずれか１項に記載の脇流れ防止ブラジャー。
【手続補正書】
【提出日】令和1年7月4日(2019.7.4)
【手続補正１】
【補正対象書類名】特許請求の範囲
【補正対象項目名】全文
【補正方法】変更
【補正の内容】
【特許請求の範囲】
【請求項１】
右カップ部、左カップ部、前記右カップ部を支持する右カップ支持部、前記左カップ部を支持する左カップ支持部、右バック布、左バック布、右肩紐、および左肩紐を備える脇流れ防止ブラジャーであって、
前記右カップ支持部は、前記右バック布から前記右カップ部と前記左カップ部をへて前記左バック布に亘る長大な正面視略直角三角形状であり、
前記左カップ支持部は、前記左バック布から前記左カップ部と前記右カップ部をへて前記右バック布に亘る長大な正面視略直角三角形状であり、
前記右カップ支持部および前記左カップ支持部の斜辺は、それぞれバストトップ位置を覆わないように配置されており、
前記右カップ支持部の上端部は前記右肩紐に連結され、右端部は前記右バック布の端部に縫合され、左端部は前記左バック布の端部に縫合されており、
前記左カップ支持部の上端部は前記左肩紐に連結され、右端部は前記右バック布の端部に縫合され、左端部は前記左バック布の端部に縫合されており、
前記右カップ支持部および前記左カップ支持部は、前記右バック布の端部および前記左バック布の端部に縫合されている部分以外の部分では互いに縫合されておらず、それぞれ独立した状態で遊離していることを特徴とする、脇流れ防止ブラジャー。
【請求項２】
前記右カップ支持部の前記斜辺および前記左カップ支持部の前記斜辺は、それぞれ前記右カップ部の下縁部および前記左カップ部の下縁部の形状に沿って湾曲していることを特徴とする、請求項１に記載の脇流れ防止ブラジャー。
【請求項３】
前記右カップ支持部は、前記右カップ部の下縁部の最下点を起点として、前記右カップ部の下縁部の最下点と前記右カップ部の前中心側の端部との間の距離の１／２〜９／１０となる位置までの領域の一部を含むように配置されており、
前記左カップ支持部は、前記左カップ部の下縁部の最下点を起点として、前記左カップ部の下縁部の最下点と前記左カップ部の前中心側の端部との間の距離の１／２〜９／１０となる位置までの領域の一部を含むように配置されており、
前記右カップ支持部および前記左カップ支持部の斜辺は、それぞれバストトップ位置を覆わないように配置されていることを特徴とする、請求項１または請求項２に記載の脇流れ防止ブラジャー。
【請求項４】
前記カップ部の前中心側の端部の下方に隙間ができるように、前記右カップ支持部の上縁部と前記左カップ支持部の上縁部がＸ字状に交差していることを特徴とする、請求項１乃至請求項３のいずれか１項に記載の脇流れ防止ブラジャー。
【請求項５】
前記右カップ支持部および前記左カップ支持部が、伸縮性の素材からなることを特徴とする、請求項１乃至請求項４のいずれか１項に記載の脇流れ防止ブラジャー。
【手続補正２】
【補正対象書類名】明細書
【補正対象項目名】００３３
【補正方法】変更
【補正の内容】
【００３３】
カップ支持部（３Ａ，３Ｂ）の斜辺（３Ａ１，３Ｂ１）は、カップ部（２Ａ，２Ｂ）のバストトップ位置（２ＡＴ，２ＢＴ）を覆わないように配置されている。
カップ支持部（３Ａ，３Ｂ）はカップ部（２Ａ，２Ｂ）の最下点（Ａ，Ｂ）と、前中心側の端部（Ｚ）との距離（Ｄ１）の、最下点（Ａ，Ｂ）を起点として１／２〜９／１０の範囲（Ｄ２）となるようにそれぞれ配置されている。
最下点（Ａ，Ｂ）と前中心側の端部（Ｚ）との距離（Ｄ１）が１／２未満だと、カップ支持部（３Ａ，３Ｂ）が着用者の動作時の身体の動きに十分に追随することができなくなってしまう。また、９／１０を超えると、カップ支持部（３Ａ，３Ｂ）がカップ部（２Ａ，２Ｂ）を押さえつけてしまうため、バストを圧迫しすぎてしまう。
そのため、本実施形態においては、最下点（Ａ，Ｂ）と前中心側の端部（Ｚ）との距離（Ｄ１）を１／２〜９／１０の範囲（Ｄ２）とすることにより、本発明の効果をより発揮することができる。
【手続補正３】
【補正対象書類名】図面
【補正対象項目名】図３
【補正方法】変更
【補正の内容】
【図３】
2020084363.tif 000011